(57)【特許請求の範囲】
【請求項１】
多段シグナリングによりネットワークアクセスを向上させる方法であって、
遠隔ユニットにより、拡散チャネルコードのセットを示すシグナリングをネットワークノードから受信すること、
前記遠隔ユニットにより、前記遠隔ユニットと前記ネットワークノードとの間のチャネル品質に基づいて前記拡散チャネルコードのセットから第１の拡散チャネルコードを選択すること、
前記遠隔ユニットにより、前記第１の拡散チャネルコードを用いて初期アクセス信号を伝送すること、
前記遠隔ユニットにより、前記ネットワークノードから、前記拡散チャネルコードのセットからの前記拡散チャネルコードの一つを参照してフォワードリンクに対するフォワードリンク割当てを受信すること、
前記フォワードリンクを介して前記ネットワークノードからデータを受信すること、
前記拡散チャネルコードのセットのいずれか一つを参照して前記ネットワークノードからの割当てメッセージをモニターすること、
前記遠隔ユニットにより、前記フォワードリンクに関連する個別リンクの確立をトリガーするために、前記割当てメッセージに対するモニターを進行しながら第２の拡散チャネルコードを用いて後続のアクセス信号を伝送すること、
前記個別リンクを介して認証シグナリングおよび電力制御シグナリングのうちの少なくとも一つを行うこと
を備える方法。
【請求項２】
前記拡散チャネルコードのセットを示す、前記ネットワークノードからの前記シグナリングは、グループページメッセージを含む、請求項１に記載の方法。
【請求項３】
前記第１の拡散チャネルコードを選択することは、チャネル品質指示（ＣＱＩ）値に基づいて前記第１の拡散チャネルコードを選択することを含む、請求項１に記載の方法。
【請求項４】
前記遠隔ユニットにより、予め準備された暗号化キーを用いて前記データを復号することをさらに備える請求項１に記載の方法。
【請求項５】
前記後続のアクセス信号を伝送する前に、ランダムに決定される時間量である待機期間だけ遅延させることをさらに備える請求項１に記載の方法。
【請求項６】
前記個別リンクを介して新しい暗号化キーを受信すること、
前記フォワードリンクを介して前記ネットワークノードからの追加データを受信すること、
前記新しい暗号化キーを用いて前記追加データを暗号化すること
をさらに備える請求項１に記載の方法。
【請求項７】
多段シグナリングによりネットワークアクセスを向上させる遠隔ユニットであって、
送受信機と、
前記送受信機と通信可能に連結されるプロセッシングユニットとを含み、
前記プロセッシングユニットは、
前記送受信機を介して、ネットワークノードからの拡散チャネルコードのセットを示すシグナリングを受信し、
前記遠隔ユニットと前記ネットワークノードとの間のチャネル品質に基づいて前記拡散チャネルコードのセットから第１の拡散チャネルコードを選択し、
前記第１の拡散チャネルコードを用いて、前記送受信機を介して初期アクセス信号を伝送し、
前記送受信機を介して、前記ネットワークノードから、前記拡散チャネルコードのセットからの前記拡散チャネルコードの一つを参照してフォワードリンクに対するフォワードリンク割当てを受信し、
前記フォワードリンクおよび前記送受信機を介して前記ネットワークノードからのデータを受信し、
前記拡散チャネルコードのセットのいずれか一つを参照して前記ネットワークノードからの割当てメッセージをモニターし、
前記フォワードリンクに関連する個別リンクの確立をトリガーするために、前記割当てメッセージに対するモニターを進行しながら第２の拡散チャネルコードを用いて後続のアクセス信号を前記送受信機を介して伝送し、
前記送受信機および前記個別リンクを介して認証シグナリングおよび電力制御シグナリンクのうちの少なくとも一つを行うように構成される、遠隔ユニット。
【発明の詳細な説明】
【技術分野】
【０００１】
本発明は、概して無線通信システムに関し、詳細には、多段シグナリングによるネットワークアクセスの向上に関する。
【背景技術】
【０００２】
近年、開発されている通信システムにおいて、ＩＥＥＥ（電気電子工学会）８０２．１６エアインターフェースまたはＷｉＭＡＸエアインターフェース、緊急呼出（例えば、「９１１」呼出）および公共安全関連呼出に基づく通信システム等は、このような多くの呼出が行われる重大な状況で、特に好ましくない遅延または呼出待機が起こる場合があり得る。このようなことが起きる一つの理由は、移動局（ＭＳ）がＭＳの調整プロセス（ranging process）のコンテンション位相（contention phase）内において二つまたは三つの伝送をネットワークに行うまでは、このような通信ネットワークは、与えられた呼出が緊急関連の呼出または公共安全関連の呼出であることが分からないことがあるためである。ＭＳにより使用される調整コード(ranging code)は、緊急グループと非緊急グループとに分割されて、ネットワークに、調整プロセスにおける特定の呼出が緊急呼出であったことがすぐに分かるようにする（例えば、緊急呼出者のみが緊急グループからの調整コードを使用する）。
【特許文献１】米国特許第７０４７０３１号明細書
【特許文献２】米国特許出願公開第２００７／０２１１７８７号明細書
【発明の開示】
【発明が解決しようとする課題】
【０００３】
しかし、そのような方式でコードを分割することは、一つのタイプのシグナリングがシステムに殺到する状況では、システム性能に不利な影響を与えることもある。例えば、多数の緊急応答者が同時にネットワークにアクセスするほどに十分なコードが緊急グループ内に存在しないこともあり、同時に、非緊急コードのグループが十分に利用されないこともあり得る。そのため、少なくとも一部の緊急関連呼出または公共安全関連呼出において、より良好なサービスを提供するようにする新しい技術が好ましい。
【発明を実施するための最良の形態】
【０００４】
以下、図１〜図５を参照して、本発明の特定の実施形態を開示する。説明および図示はともに、理解を助けるために作成されたものである。例えば、構成要素の一部の寸法は、他の構成要素に比べて誇張されていることもあり、商業的に成功的な実施に有利または必要な公知の構成要素は、実施形態の障害を減らし、実施形態をさらに明確に提示するために、省略する場合もある。また、前記シグナリングフロー図およびロジックフロー図のうちの少なくとも一つは、特定の順序で交換される特定のシグナリングおよび特定の順序で行なわれる特定の機能を参照して説明および図示されているが、請求の範囲から逸脱することなく、シグナリングまたは機能の一部が省略されていることもあり、またシグナリングまたは機能の一部は統合、下位分割または順序換えがなされることもある。よって、特に断りのない限り、示されたシグナリングまたは機能の順序およびグループ化は、請求項の範囲内にあり得る他の実施形態を制限するものではない。
【０００５】
図示および説明において単純性および明確性を求めて、当業界に公知の観点から、当業者が本発明を製作し、使用し、好適に実施できるようにする。当業者は本発明の本質および範囲から逸脱することなく、以下に説明された特定の実施形態に対して多様な変形や変更が行われることもあることを理解するであろう。よって、明細書および図面は、制限的で、すべてのものを含むというよりむしろ、解説的、かつ例示的なものとして見なされるべきであり、以下に示す特定の実施形態への全ての変形は、本発明の範囲に含まれることを意図するものである。
【０００６】
多段シグナリングによりネットワークアクセスを向上させるための様々な実施形態を説明する。図１のロジックフロー図１０は、本発明の多数の実施形態に係る無線通信システムにより行なわれる機能を示す。ネットワークノードは、そのセクターで発生する緊急呼出アクセスおよびグループ呼出アクセスのうちの少なくとも一方を示す共有の指示子コードを生成する（１２）。そのため、ＭＳが緊急アクセスを行うとき、ＭＳはアクセス信号を、共有の指示子コードおよびランダムに選択されたコードの両者で伝送する（１３）。これにより、ネットワークに、セクター内に少なくとも一つのＭＳがあることがより速く通知される。そのようなアクセスがそのセクターで発生していることを認識すると、ネットワークは、追加的なアクセスリソースを供給し、その指示子コード上の受信電力に基づいて伝送するＭＳの個数を推定し、非緊急トラフィックをバックオフし始め、かつ認証が完了するのを待たずに通信を伝送し始めることのうちの少なくとも一つを行い得る（１４）。
【０００７】
本発明の多数のネットワークノードの実施形態の概括として、ネットワークノードは、共有の拡散チャネルコードを示すシグナリングを伝送し、さらに、その共有の拡散チャネルコードを介して複数の遠隔ユニットのそれぞれから初期アクセス信号を受信する。また、ネットワークノードは、異なる拡散チャネルコードを用いて、複数の遠隔ユニットのそれぞれから後続のアクセス信号を受信する。後続のアクセス信号に応答して、ネットワークノードは、複数の遠隔ユニットのそれぞれと個別的なリンクを確立するようにシグナリングを伝送する。
【０００８】
本発明の多数の遠隔ユニットの実施形態の概括として、複数の遠隔ユニットのうち一つの遠隔ユニットは、複数の遠隔ユニットに対する共有の拡散チャネルコードを示すシグナリングをネットワークノードから受信する。この遠隔ユニットは、共有の拡散チャネルコードを用いて初期アクセス信号を伝送し、また、異なる拡散チャネルコードを用いて後続のアクセス信号を伝送して、遠隔ユニットとネットワークノードとの間の個別的なリンクの確立をトリガーする。
【０００９】
ここに開示された実施形態は、図２〜図５を参照することによりさらに完全に理解できる。図４は、本発明の複数の実施形態に係る無線通信システム１００のブロック図である。現在、ＯＭＡ（オープン・モバイル・アライアンス）、３ＧＰＰ（３世代パートナシッププロジェクト）、３ＧＰＰ２（３世代パートナシッププロジェクト２）、ＩＥＥＥ（電気電子工学会）８０２、およびＷｉＭＡＸフォーラムが無線通信システムに関する標準仕様を開発している。（このようなグループは、ｈｔｔｐ：／／ｗｗｗ．ｏｐｅｎｍｏｂｉｌｅａｌｌｉａｎｃｅ．ｃｏｍ、ｈｔｔｐ：／／ｗｗｗ．３ｇｐｐ．ｏｒｇ／、ｈｔｔｐ：／／ｗｗｗ．３ｇｐｐ２．ｃｏｍ／、ｈｔｔｐ：／／ｗｗｗ．ｉｅｅｅ８０２．ｏｒｇ／、およびｈｔｔｐ：／／ｗｉｍａｘｆｏｒｕｍ．ｏｒｇ／でそれぞれアクセスすることができる。）通信システム１００は、一つ以上のＷｉＭＡＸフォーラム技術および一つ以上のＩＥＥＥ  ８０２技術のうちの少なくとも一方による構造を有し、本発明の具体化のために好適に改良されたシステムを示す。本発明の代替の実施形態は、これに限定されないが、ＯＭＡ仕様、３ＧＰＰ仕様および３ＧＰＰ２仕様のうちの少なくとも一つに説明されたような他の、または追加の技術を採用する通信システムで実現されることもある。
【００１０】
通信システム１００は、極めて概括的に示される。例えば、システム１００は、単に、遠隔ユニット１０１、ネットワークノード１２１およびシグナリングネットワーク１３１を含むものとして示される。ネットワークノード１２１は、シグナリングネットワーク１３１を介して相互接続するものとして示される。ネットワークノード１２１は、無線インターフェース１１１を用いて遠隔ユニット１０１にネットワークサービスを提供するものとして示される。無線インターフェースは、例えばＩＥＥＥ  ８０２．１６に基づくなどのように、ネットワークノード１２１により支援される特定のアクセス技術に応じて使用される。当業者は、図４が、システム１００の動作に必要な物理的な固定ネットワーク構成要素を全て示したものではなく、本明細書で実施形態の説明に特に関連したシステム構成要素および論理的個体のみを示していることが分かるであろう。
【００１１】
図４に示すように、ネットワークノード１２１は、プロセッシングユニット１２６、ネットワークインターフェース１２７および送受信機１２５を含む。一般的に、プロセッシングユニット、送受信機およびネットワークインターフェースのような構成要素は公知である。例えば、プロセッシングユニットは、これに限定されるか、または必ずしも必要とする訳ではないものの、マイクロプロセッサ、マイクロコントローラ、メモリデバイス、特定用途向け集積回路（ＡＳＩＣ）、および論理回路のうちの少なくとも一つのような基本的な構成要素を含むものとして公知である。そのような構成要素は、通常、ハイレベルの設計言語または記述を用いて表現され、コンピュータ命令を用いて表現され、シグナリングフロー図を用いて表現され、およびロジックフロー図を用いて表現されることのうちの少なくとも一つにより表現されたアルゴリズムおよびプロトコルのうちの少なくとも一つを実現するように構成される。
【００１２】
したがって、ハイレベルの記述、アルゴリズム、ロジックフロー、メッセージング／シグナリングフロー、およびプロトコル仕様のうちの少なくとも一つが与えられると、当業者は、所定のロジックを行うプロセッシングユニットを実施するのに利用可能な多数の設計および開発技法が分かる。そのため、デバイス１２１は、本明細書の説明に従って、本発明の複数の実施形態を実施するように構成された公知のデバイスを示す。また、当業者は、本発明の態様が多様な物理的構成要素によって実施されることができ、必ずしも単一プラットフォームに制限する必要はないという点を認識するであろう。例えば、ネットワークノードは、基地送受信機局（ＢＴＳ）および基地局コントローラ（ＢＳＣ）のうちの少なくとも一方、ノード−Ｂおよびラジオネットワークコントローラ（ＲＮＣ）のうちの少なくとも一方、またはＨＲＰＤ  ＡＮおよびＰＣＦのうちの少なくとも一方などの一つ以上のＲＡＮ構成要素によって実施されるかアクセスしてもよい。また、ネットワークノードは、アクセスサービスネットワーク（ＡＳＮ）ゲートウェイおよびＡＳＮ基地局（ＢＳ）のうちの少なくとも一方、アクセスポイント（ＡＰ）、広帯域基地局（ＷＢＳ）、およびＷＬＡＮ（無線ローカル領域ネットワーク）局のうちの少なくとも一方などの一つ以上のアクセスネットワーク（ＡＮ）構成要素によって実現されるかアクセスしてもよい。
【００１３】
遠隔ユニット１０１およびネットワークノード１２１は、技術種別に依存した無線インターフェース１１１を介して通信するものとして示されている。加入者局（ＳＳ）およびユーザ設備（ＵＥ）のうちの少なくとも一方のような遠隔ユニットは、移動局（ＭＳ）、移動加入者局（ＭＳＳ）、移動デバイスまたは移動ノード（ＭＮ）と考えられてもよい。また、遠隔ユニットプラットフォームは、これに限定されないが、移動局（ＭＳ）、アクセス端末（ＡＴ）、端末装置、移動デバイス、ゲームデバイス、パソコン、およびパーソナルデジタルアシスタント（ＰＤＡ）のような様々な消費者用電子プラットフォームを称するものとして知られている。特に、遠隔ユニット１０１は、プロセッシングユニット１０３および送受信機１０５を含む。実施形態により、遠隔ユニット１０１は、キーパッド（図示せず）、スピーカー（図示せず）、マイク（図示せず）、およびディスプレイ（図示せず）をさらに含んでもよい。遠隔ユニットにおいて使用されるプロセッシングユニット、送受信機、キーパッド、スピーカー、マイクおよびディスプレイは、当業界によく知られたものである。
【００１４】
本発明に係る実施形態の動作は、先ず図２〜図４を参照して、実質的に次のように行われる。図２および図３は、本発明の多数の実施形態に係る遠隔ユニットおよびネットワークノードによってそれぞれ行なわれる機能のロジックフロー図である。図４に示されたように、ネットワークノード１２１は、遠隔ユニット１０１に対する現在のサービングノードである。ネットワークノードプロセッシングユニット１２６は、拡散チャネルコードのセットを示すシグナリングを、送受信機１２５を介して伝送する（３２）。このようなシグナリングは、図４には図示されていない他の遠隔ユニットのうち遠隔ユニット１０１を対象とするグループページメッセージの形態を取ることもできる。
【００１５】
このような信号を受信して（２２）、遠隔ユニットプロセッシングユニット１０３は、無線インターフェース１１１のチャネル品質に基づいて拡散チャネルコードのセットから第１の拡散チャネルコードを選択する（２３）。実施形態により、チャネル品質表示（ＣＱＩ）値および信号強度値のうちの少なくとも一方が、選択目的でチャネル品質として用いられてもよい。さらに、プロセッシングユニット１０３は、第１の拡散チャネルコードを用いて、送受信機１０５を介して初期アクセス信号を伝送する（２４）。ネットワークノードプロセッシングユニット１２６は、初期アクセス信号を受信し（３３）、送受信機１２５を介して、拡散チャネルコードのセットからの拡散チャネルコードのうち一つを参照してフォワードリンクに対するフォワードリンク割当てを伝送する（３４）。
【００１６】
さらに、ネットワークノード１２１は、このフォワードリンクを用いてデータを遠隔ユニット１０１に送信し始める（３５）。遠隔ユニット１０１によって使用される拡散チャネルコードが遠隔ユニット１０１とのチャネル品質を示すため、ネットワークノード１２１は、このような指示（またはより劣化したチャネル品質を有する遠隔ユニットによる指示）を用いて、フォワードリンクを介してデータを伝送する電力レベルを決定することもできる。また、ネットワークノード１２１は、予め準備された暗号化キーを用いてフォワードリンクデータを暗号化することもできる。予め準備された暗号化キーおよび遠隔ユニットアクセスシグナリングからのチャネル品質の指示を使用することにより、ネットワークノード１２１は、更なるシグナリング交換を待たずに遠隔ユニットにフォーワードデータを伝送し始めることができる。
【００１７】
初期アクセスシグナルを伝送した後、遠隔ユニット１０１は、フォワードリンク割当てに対してネットワークノード１２１により本来指示された拡散チャネルコードのセットをモニターする。遠隔ユニット１０１は、割当てを受信し（２５）、さらに、フォワードリンクを介してデータを受信し始めて（２６）、予め準備された暗号化キーを用いてデータを復号化する。割当て／受信データに対するモニターを進行しながら、遠隔ユニット１０１は、フォワードリンクと関連する個別リンクの確立をトリガーするために、第２の拡散チャネルコードを用いて後続のアクセス信号を伝送する（２７）。遠隔ユニットは、後続のアクセス信号を送信する前に、ランダムな時間量だけ遅延されることもある。
【００１８】
後続のアクセス信号を受信してから（３６）、ネットワークノード１２１は、シグナリングを伝送（３７）して、遠隔ユニット１０１との個別リンクを確立する。個別リンクが確立されると、ネットワークノード１２１および遠隔ユニット１０１は、認証シグナリングおよび電力制御シグナリングのうちの少なくとも一方を行い始めてもよい（２８，３８）。さらに、ネットワークノード１２１は、このような個別リンク電力制御シグナリングに基づいてフォワードリンク電力レベルを調整してもよい。また、ネットワークノード１２１は、個別リンクを介して新しい暗号化キーを伝送し、それを用いてフォワードリンクデータを暗号化し始めてもよい。
【００１９】
前述のＩＥＥＥ  ８０２．１６の実施形態を参照した。従って、特定のＩＥＥＥ  ８０２．１６の実施形態に焦点を合わせた概要が以下に述べられ、一部の追加的で、かつより特別な実施形態を提示する。これは、本発明の範囲を限定するというより、可能な実施形態の多様性に対する読者の理解を深めるためである。
【００２０】
本発明の特定の実施形態がどのように動作するかの例示として、一連の事象を通じて進行することが有用である。図５は、本発明の特定の実施形態に係る無線通信システムにより行なわれるシグナリングを示したシグナリングフロー図である。図５００において、ネットワークは、領域内の端末機のセットに到逹するようにするグループページを送信する。ページメッセージにおいて、端末機が応答することができる調整コードのセットが与えられる。それぞれの特定の端末機は、現在のＣＱＩ（チャネル品質指示）値に基づいて、いずれの調整コードに応答するかを選択する（これにより、ネットワークは、グループ呼出に関連するすべての端末機のＣＱＩを速やかに決定することができる。）。ここで、同一のＣＱＩを有する端末機のセットは、同一の調整コードを用いてアップリンク上ですべてに応答することができ、すべてが同一のものを送信しているため、衝突がない。
【００２１】
応答を受信した後に、ネットワークは、本来のページメッセージで特定されたコードのうち一つを参照してフォワードリンク割当てを送信する。関連したすべての端末機は、本来のグループページにより特定された調整コードのうちのいずれかを使用する割当てメッセージを検索し、関連した端末機をアドレッシングする。さらに、ネットワークは、予め同意された暗号化キーを用い、最低のＣＱＩ（または、代替的に、端末機の無線条件のうち一つが劣化すると、初期に電力制御のための速いフィードバックチャネルがないという点のため、最低のＣＱＩよりも数ｄＢ大きいもの）を有する端末機に到逹するのに十分な電力レベルを用いてデータをグループに伝達する。
【００２２】
なお、グループ内のそれぞれの端末機は（グループページにより特定されていない）異なる調整コードを用いて個別アクセスを行い、端末機とネットワークとの間に個別チャネルを設定する。端末機は、グループ呼出に使用される共通ダウンリンク上に既に流れ始める情報を受信すると同時に、電力制御および認証に対するこのような個別リンクを設定しようと試みる。ここで、混雑を避けるために、様々な端末機は、ランダムな時間（０から特定の最大値まで）だけ待機して個別リンクを設定するのに必要な調整を行う。認証およびアップリンク電力制御がその個別チャネルに上でそれぞれの端末機に対して別々に行なわれる。すべての端末機に対して認証が完了した後、ネットワークは、すべての端末機に対して送信されているダウンリンクデータに対して異なる暗号化キーを選択的に使用し始める。（この暗号化キーは、認証が完了した後、個別リンク上のそれぞれの端末機に知らされる。）また、ネットワークは、電力制御を個別化することができる（すなわち、個別リンクに送信されたＣＱＩレポートに基づいて最低のＣＱＩを有する端末機に到逹するのに適切な電力レベルを使用する）。一般的に、ネットワークは、多様な制御機能のために個別リンクを使用することができる（例えば、共有のものとユニキャストとの間のトラフィックチャネルタイプを変更すること）。
【００２３】
当業者は、本発明の本質および範囲から逸脱することなく、図１〜図５を参照して前述の特定の実施形態に対して多様な変形や変更が行われることを理解するであろう。したがって、上記に詳述した特定の実施形態に対する論議は、制限的またはすべてを含むというよりは、説明的、かつ例示的なものとして見なすべきであり、前述の特定の実施形態に対するそのような全ての変形は、本発明の範囲に含むよう意図するものである。
【００２４】
利得、他の利点、および問題点に対する解決策は、本発明の特定の実施形態に係って前述された。しかし、利得、利点、問題点に対する解決策、およびそのような利得、利点または解決策を惹起しまたはもたらすことができるか、またはそのような利得、利点または解決策をさらに強調する任意の構成要素は、特許請求の範囲の一部または全体において臨界的、必須的、または本質的な特性または構成要素として見なされてはいけない。
【００２５】
本明細書で、および添付された特許請求の範囲で使用される「含む」という用語またはその他の変形は、排他的ではない含みを指称し、構成要素のリストを含むプロセス、方法、製造物品、または装置は、そのリストにある構成要素のみを含むのではなく、明確に記載されていないか、またはそのようなプロセス、方法、製造物品または装置が本来有している他の構成要素までをも含むことができる。本明細書で使用された、一つ、という用語は、一つまたは一つを超えるものとして定義される。本明細書で使用された、複数、という用語は、二つまたは二つを超えるものとして定義される。本明細書で使用された、もう一つ、という用語は、少なくとも２つ目またはそれ以上として定義される。ここで別に断りのない限り、第１および第２等のような関係設定の用語は、そのような個体や動作間に実際にそのような関係または順序を必ず必要とし、または含蓄するわけでなく、単に一つの個体または動作と他の個体または動作とを区分するために用いられる。
【００２６】
本明細書で用いられた、「含み」および「有する」、という用語は、含む（すなわち、開放語）と定義される。本明細書で用いられる、接続される、という用語は、必ずしも直接的ではなくても、また必ずしも機械的ではなくても、連結されるものとして定義される。「示す」という単語から派生した用語（例えば、「示す」および「指示」）は、指示される情報または客体と通信するか、または参照するために利用可能なすべての多様な技法を含む意図である。指示されている情報または客体と通信するか、参照するのに利用可能な技術のすべての実施例ではないが、一部は、指示されている情報または客体の運搬、指示されている情報または客体の識別子の運搬、指示されている情報または客体を発生させるのに用いられる情報の運搬、指示されている情報または客体の一部または部分の運搬、指示されている情報または客体から誘導されたものの運搬、および指示されている情報または客体を表現する一部のシンボルの運搬を含む。本明細書で用いられたプログラム、コンピュータプログラム、およびコンピュータ命令という用語は、コンピュータシステムにおける実行のために設計された一連の命令として定義される。一連の命令は、これに限定されないが、サブルーチン、機能、手順、客体方法、客体実施、実行可能アプリケーション、アプレット、サブレット、共有のライブラリ／動的負荷ライブラリ、ソースコード、客体コードおよびアセンブリコードのうちの少なくとも一つを含んでもよい。
【図面の簡単な説明】
【００２７】
【図１】本発明の多数の実施形態に係る無線通信システムにより行なわれる機能のロジックフロー図である。
【図２】本発明の多数の実施形態に係る遠隔ユニットにより行なわれる機能のロジックフロー図である。
【図３】本発明の多数の実施形態に係るネットワークノードにより行なわれる機能のロジックフロー図である。
【図４】本発明の多数の実施形態に係る無線通信システムのブロック図である。
【図５】本発明の特定の実施形態に係る無線通信システムにより行なわれるシグナリングを示すシグナリングフロー図である。
【符号の説明】
【００２８】
１０１…遠隔ユニット、１１１…無線インターフェース、１２１…ネットワークノード。
【図１】
0004981010.tif 000002
【図２】
0004981010.tif 000003
【図３】
0004981010.tif 000004
【図４】
0004981010.tif 000005
【図５】
0004981010.tif 000006